(57)【要約】      （修正有）【課題】スイッチング電源の過電流保護回路では、過電流保護が働くと突然電源供給が止まるため、装置にダメージを与える可能性があり、過電流の原因個所を修理しても復旧できない恐れがある。【解決手段】記録装置において、スイッチング電源は、出力電流が第１の閾値を超えた場合、電源出力をシャットダウンさせ、前記出力電流が前記第１の閾値よりも小さい第２の閾値を超えている期間が第１の所定時間を経過した場合、電源出力をシャットダウンさせる、第１の制御手段を備え、画像形成部は、前記第１の所定時間より短い第２の所定時間、連続してアサートされた前記通知信号を受信した場合、第３の所定時間の待機をさせ、前記第３の所定時間の待機後に前記通知信号がネゲートされた場合、前記画像形成の動作を継続させ、前記第３の所定時間の待機後に前記通知信号がネゲートされなかった場合、前記画像形成の動作を中止させる第２の制御手段を備える。【選択図】図１
2018111236.tif 000002
【特許請求の範囲】
【請求項１】
画像形成に用いられる電源を供給するスイッチング電源と、画像形成を行う画像形成部とを備える記録装置であって、
前記スイッチング電源は、
出力電流に応じて、前記画像形成部への通知信号をアサートする第１の制御手段であって、第１の閾値を前記出力電流が超えた場合には電源出力を直ちにシャットダウンさせ、前記第１の閾値よりも小さい第２の閾値を前記出力電流が超えている期間において前記通知信号をアサートさせ、当該超えている期間が第１の所定時間を経過した際に、電源出力をシャットダウンさせる、第１の制御手段
を備え、
前記画像形成部は、
前記第１の所定時間より短い第２の所定時間の間に連続してアサートされた前記通知信号を受信した場合、画像形成の動作の所定のタイミングにて第３の所定時間の待機をさせ、前記第３の所定時間の間に前記通知信号がネゲートされた場合には前記画像形成の動作を継続させ、前記第３の所定時間の間に前記通知信号がネゲートされなかった場合には前記画像形成の動作を中止させる第２の制御手段
を備えることを特徴とする記録装置。
【請求項２】
前記スイッチング電源は、前記出力電流を検出するための検出用回路を備え、
前記検出用回路は、抵抗を含むことを特徴とする請求項１に記載の記録装置。
【請求項３】
前記スイッチング電源は、前記スイッチング電源への入力電圧を検出する手段を備え、
前記第１の制御部は、前記スイッチング電源への入力電圧とスイッチング信号の周期およびオン時間とを用いて、前記出力電流を検出することを特徴とする請求項１に記載の記録装置。
【請求項４】
前記記録装置は、シリアルタイプの記録ヘッドを備えた記録装置であって、
前記所定のタイミングは、１ライン分の画像形成の動作が完了したタイミングであることを特徴とする請求項１乃至３のいずれか一項に記載の記録装置。
【請求項５】
前記記録装置は、フルラインタイプの記録ヘッドを備えた記録装置であって、
前記所定のタイミングは、１ページ分の画像形成の動作が完了したタイミングであることを特徴とする請求項１乃至３のいずれか一項に記載の記録装置。
【請求項６】
前記画像形成部は更に、
画像形成に用いられる画像データを所定の領域に分割し、当該分割された領域ごとに用いられるインクの量を算出する手段と、
前記分割された領域に用いられるインクの量が所定の閾値以下か否かを判定する判定手段と
を有し、
前記第２の制御手段は、前記画像形成の動作が行われている際に前記通知信号がアサートされた場合、当該画像形成の動作が行われている前記分割された領域に用いられるインクの量が所定の閾値以下であると前記判定手段により判定された際には、当該画像形成の動作を中止させることを特徴とする請求項１乃至５のいずれか一項に記載の記録装置。
【発明の詳細な説明】
【技術分野】
【０００１】
本発明は、記録装置に関する。
【背景技術】
【０００２】
一般にインクジェット記録装置の電源に関する安全保護制御は、過電流保護、過電圧保護で成り立っている。それぞれの保護回路は、何らかの故障や不具合によって電源の出力電流が所定の値を超えたり、出力電圧が所定の値を超えたりすると、電源がシャットダウンして出力を停止するように構成されている。また、過電流保護回路は、装置内の様々な電気回路の容量成分への突入電流や、モータ起動時の瞬間的な過大電流によって、保護機能が働かないように、装置の消費電流のピーク値に対して十分大きな値に設定されている。
【０００３】
近年、記録装置の機能が複雑化し、回路規模の増大と共に、動作時の平均電流に対して突入電流等によるピーク電流が大きくなっている。ピーク電流の増大に合わせて過電流保護の動作点を大きくすると、その電流に堪えうるために回路部品の耐電力を大きくする必要があり、部品サイズの増大、コストアップを招く。そのため、ピーク電流の増大に対応した電源及び電源制御が求められている。
【０００４】
そのような要求に応えるため、特許文献１では、過電流保護の閾値を２段階で設けている。第１の過電流保護では、負荷電流が第１の設定値を超えた時に、直流出力電圧を垂下させて出力電流を制限する。更に、第２の過電流保護では、負荷電流が第１の設定値より低い第２の設定値を超え且つ設定時間を経過した時に、直流出力電圧を垂下させて出力電流を制限する。
【先行技術文献】
【特許文献】
【０００５】
【特許文献１】特開２００１−１１９９３３号公報
【発明の概要】
【発明が解決しようとする課題】
【０００６】
しかしながら、上記従来例では、増大する突入電流等の瞬間的なピーク電流でのシャットダウンを避けることは可能になるが、瞬間的なピーク以外の通常動作中であっても第２の設定値を超えた状態が所定時間経過すると電源が勝手にシャットダウンしてしまう。そのため、その場合には予期せぬ状態で装置が停止してしまい、装置に大きなダメージを与える可能性がある。反対に動作中にシャットダウンさせないためには、第２の設定値も動作電流に対して十分に余裕のある値に設定する必要があるため、部品の小型化には限界がある。
【課題を解決するための手段】
【０００７】
上記課題を解決するために本願発明は以下の構成を有する。すなわち、画像形成に用いられる電源を供給するスイッチング電源と、画像形成を行う画像形成部とを備える記録装置であって、前記スイッチング電源は、出力電流に応じて、前記画像形成部への通知信号をアサートする第１の制御手段であって、第１の閾値を前記出力電流が超えた場合には電源出力を直ちにシャットダウンさせ、前記第１の閾値よりも小さい第２の閾値を前記出力電流が超えている期間において前記通知信号をアサートさせ、当該超えている期間が第１の所定時間を経過した際に、電源出力をシャットダウンさせる、第１の制御手段を備え、前記画像形成部は、前記第１の所定時間より短い第２の所定時間の間に連続してアサートされた前記通知信号を受信した場合、画像形成の動作の所定のタイミングにて第３の所定時間の待機をさせ、前記第３の所定時間の間に前記通知信号がネゲートされた場合には前記画像形成の動作を継続させ、前記第３の所定時間の間に前記通知信号がネゲートされなかった場合には前記画像形成の動作を中止させる第２の制御手段を備える。
【発明の効果】
【０００８】
本発明では、予期しない状態での電源のシャットダウンを防ぐと同時に、装置の動作時の消費電流に合わせて電源を構成する部品の耐電力の最適化が図ることができ、コストダウンが可能となる。更に、スイッチング電源の小型化、記録装置全体の小型化を実現することができる。
【図面の簡単な説明】
【０００９】
【図１】本発明に係るインクジェット記録装置の概略図。
【図２】本発明に係るスイッチング電源の回路例を示す図。
【図３】本発明に係る画像形成部の構成例を示す図。
【図４】スイッチング信号とトランスを流れる電流の関係を示す図。
【図５】スイッチング電源の過電流保護部の動作を示すフローチャート。
【図６】シリアルヘッドの場合の記録動作中の動作を示すフローチャート。
【図７】ラインヘッドの場合の記録動作中の動作を示すフローチャート。
【図８】スイッチング周期と通知信号の関係を示す図。
【図９】印刷領域の分割例を示す図。
【図１０】出力電流に応じた電源出力と通知信号の関係を示す図。
【図１１】通知信号と画像デューティを対比した常検出動作を示すフローチャート。
【発明を実施するための形態】
【００１０】
＜第１の実施形態＞
図１は、本発明に係るインクジェット記録装置（以下、記録装置）１０１の概略図である。記録装置１０１は、スイッチング電源２０１と画像形成部３０１とが接続して構成されている。ＡＣプラグ１０２は、ＡＣ電源に接続するためのＡＣプラグである。供給電源２０２は、画像形成部３０１を動作させるためにスイッチング電源２０１から供給される電源である。通知信号２０３は、供給電源２０２の出力が所定の閾値を超えた場合に、スイッチング電源２０１から発行される通知信号である。画像形成部３０１に含まれる制御部３０２は、通知信号２０３をモニタしながら適切な記録制御を実行する。
【００１１】
図２は、本発明に係るスイッチング電源２０１の回路の一例を示す。本実施形態では、簡単のために一般的なフライバック式の回路を用いて説明するが、スイッチング電源２０１には様々な方式があり回路構成はこの例に限ったものではない。スイッチング電源２０１は、整流のためのダイオードブリッジ２０４、１次側の平滑コンデンサ２０５、電源出力を制御する電源制御部２０６、トランス２０７、スイッチング用のＭＯＳ−ＦＥＴ２０８、２次側の整流ダイオード２０９、２次側の平滑コンデンサ２１０が設けられる。更に、出力電圧のレギュレーションのための回路として、制限抵抗２１１、２次側の電圧の状態を電源制御部２０６にフィードバックするためのフォトカプラ２１２（ＬＥＤ２１２−１、フォトトランジスタ２１２−２）、シャントレギュレータ２１３、レギュレーションの電圧を決めるための抵抗２１４、２１５が設けられる。
【００１２】
先に述べたように、図２に示すスイッチング電源２０１は、一般的なフライバック式の例である。その動作の詳細な説明は割愛するが、簡単に説明すると出力電圧は、シャントレギュレータ２１３に接続された抵抗２１４、２１５の抵抗値の比によって出力電圧が決定する。さらに２次側の負荷変動によって、出力電圧が上昇するとフォトカプラ２１２のＬＥＤ２１２−１が点灯する。そして、それによってフォトトランジスタ２１２−２がＯＮすると、電源制御部２０６は、ＭＯＳ−ＦＥＴ２０８のスイッチング周波数を上げて出力を落とすことで出力電圧を下げる。一方、出力電圧が下がってフォトトランジスタ２１２−２がＯＦＦになると、電源制御部２０６は、スイッチング周波数を下げて出力電圧を上げる。これを繰り返すことで出力電圧をレギュレートする。
【００１３】
図４は、負荷が大きい時と小さい時（出力電流が大きい時と小さい時）のスイッチング信号（ＳＷ）と、トランス１次側を流れる電流（Ｉｐ）およびトランス２次側を流れる電流（Ｉｓ）の様子の例を示す。スイッチング信号に応じて、Ｉｐ、Ｉｓはそれぞれ変化する。図４に示すように、図４（ａ）のスイッチング信号の周波数を、図４（ｂ）のスイッチング信号の周波数となるように上げた場合、Ｉｐ、Ｉｓのいずれも下がることとなる。
【００１４】
図２において、抵抗２２０は、過電流を検出のための抵抗であり、電源制御部２０６はＩｐが抵抗２２０を流れることによって生じる電位から過電流状態か否かを判定する。回路２１６は、３端子レギュレータ等で構成される制御回路用の低電圧電源を出力する回路である。更に、図２において、プルアップ抵抗２１７、電源出力が所定の値を超えたことを通知するためのフォトカプラ２１８（ＬＥＤ２１８−１、フォトトランジスタ２１８−２）が設けられる。電源出力が所定の値を超えると、電源制御部２０６はＬＥＤ２１８−１に電流を流し、フォトトランジスタ２１８−２がオンする。すなわち、通知信号２０３がローレベルに変化することで制御部３０２に通知する。
【００１５】
図３は、本発明に係る画像形成部３０１の構成例を示す図である。図３において、制御部３０２は画像形成部３０１全体を制御し、ＲＯＭ３０３に格納された制御プログラムに従って記録紙に画像データの記録を実行する動作を制御する。ＲＡＭ３０４は、各種動作を制御するための処理演算に使用されるメモリである。バッファメモリ３０５は、パーソナルコンピュータ等の外部制御装置（不図示）から送られてくる記録データをバッファリングしたり、記録データを記録部での記録用に変換した記録用データをバッファリングしたりするために用いられる。Ｉ／Ｆ制御部３０６は、外部制御装置（不図示）と通信するための制御部である。コネクタ３０７は、外部装置（不図示）と接続するためのコネクタである。操作部３０８は、ユーザが記録装置１０１を操作するための操作部である。記録部３１０は、記録用データを記録紙に記録する。モータ制御部３１１は、記録動作のために記録紙の搬送や記録ヘッド（不図示）の搬送のために複数のモータ３１２、３１３を制御する。各構成要素は、図３に示すように、システムバス３０９を介して制御部３０２と接続される。
【００１６】
［動作説明］
次に出力電流に応じたスイッチング電源２０１と画像形成部３０１それぞれの動作について説明する。
【００１７】
（スイッチング電源）
まず、スイッチング電源２０１について説明する。図１０は、出力電流に応じた電源出力と通知信号の関係を示す。ここでは、２つの閾値Ｉ１、Ｉ２を用いる。閾値Ｉ１は、所定時間（期間）を連続して超えると過電流保護が働く閾値である。閾値Ｉ２は、瞬時でも超えると過電流保護が働く閾値である。閾値Ｉ１、閾値Ｉ２の関係は、Ｉ２＞Ｉ１となる。
【００１８】
図１０（ａ）に示すように、出力電流が閾値Ｉ１を超えると通知信号をアサートし、Ｉ１を下回ると通知信号をネゲートする。かつ、通知信号のアサート状態の連続時間ｔが第１の所定時間ｔ１よりも小さければ（ｔ＜ｔ１）通常の動作状態を継続する。
【００１９】
図１０（ｂ）に示すように、出力電流が閾値Ｉ１を超えた状態が所定時間ｔ１以上連続した場合は（ｔ≧ｔ１）、過電流保護動作を実行し、電源出力をシャットダウンする。なお、所定時間ｔ１は、閾値Ｉ１として設定された出力電流が流れ続けても、スイッチング電源２０１を構成する各素子が破壊しない時間内に設定する。
【００２０】
また、図１０（ｃ）に示すように、出力電流が閾値Ｉ２を超えた場合は、直ちに過電流保護動作を実行し、電源出力をシャットダウンする。
【００２１】
以上の動作を図５のフォローチャートに沿って説明する。スイッチング電源２０１が動作中は、出力電流Ｉの監視が行われる。
【００２２】
Ｓ５０１にて、電源制御部２０６は、出力電流Ｉが閾値Ｉ２を超えているか否かを判定する。出力電流Ｉが閾値Ｉ２を超えていたら（Ｓ５０１にてＹＥＳ）、Ｓ５０９に進み、ＩがＩ２以下であれば（Ｓ５０１にてＮＯ）Ｓ５０２に進む。
【００２３】
Ｓ５０２にて、電源制御部２０６は、ＩがＩ１を超えているか否かを判定する。Ｉ１を超えていたら（Ｓ５０２にてＹＥＳ）Ｓ５０６へ進み、ＩがＩ１以下であれば（Ｓ５０２にてＮＯ）Ｓ５０３に進む。
【００２４】
Ｓ５０３にて、電源制御部２０６は、出力電流ＩがＩ１を超えている時間の計時中であることを示す第１の計時中フラグがセット（＝１）されているかを確認する。第１の計時中フラグがセットされていた場合は（Ｓ５０３にてＹＥＳ）Ｓ５０４に進み、セットされていない場合は（Ｓ５０３にてＮＯ）Ｓ５０５へ進む。
【００２５】
Ｓ５０４にて、電源制御部２０６は、出力電流ＩがＩ１を下回ったため、計測中の経過時間ｔをリセットする。更に、電源制御部２０６は、計時中フラグをリセット（＝０）し、通知信号のネゲートを行う。その後、Ｓ５０５へ進む。
【００２６】
Ｓ５０５にて、電源制御部２０６は、ＡＣ電源がＯＦＦされたか否かを判定する。ＡＣ電源がＯＦＦされた場合は（Ｓ５０５にてＹＥＳ）本処理フローを終了し、ＯＦＦされていなければ（Ｓ５０５にてＮＯ）Ｓ５０１へ戻る。
【００２７】
Ｓ５０６にて、電源制御部２０６は、第１の計時中フラグがセット（＝１）されているかを確認する。第１の計時中フラグがセットされていない場合は（Ｓ５０６にてＮＯ）Ｓ５０７へ進み、セットされている場合は（Ｓ５０６にてＹＥＳ）Ｓ５０８へ進む。
【００２８】
Ｓ５０７にて、電源制御部２０６は、第１の計時中フラグをセットして経過時間ｔの計測を開始するとともに、通知信号２０３をアサートする。このとき、電源供給は継続される。そして、Ｓ５０５へ進む。
【００２９】
Ｓ５０８にて、電源制御部２０６は、第１の計時中フラグがセットされている状態の経過時間ｔを確認する。経過時間ｔが第１の所定時間ｔ１を超えていなければ（Ｓ５０８にてＮＯ）Ｓ５０５へ進む。このとき、電源供給は継続される。経過時間ｔが所定時間ｔ１を超えた場合は（Ｓ５０８にてＹＥＳ）、Ｓ５０９に進む。
【００３０】
Ｓ５０９にて、電源制御部２０６は、電源出力をシャットダウンする。そして、本処理フローを終了する。
【００３１】
（画像形成部）
次に、画像形成部３０１の動作について、図６に示すフローチャートの例に沿って説明する。図６は、インクを吐出する記録ヘッドが記録紙の紙幅方向に往復しながら記録を行う、いわゆるシリアルヘッドを搭載した記録装置の記録動作中の制御に関する例である。
【００３２】
Ｓ６０１にて、制御部３０２は、記録動作を開始させる。
【００３３】
Ｓ６０２にて、制御部３０２は、通知信号２０３を確認し、通知信号がアサート状態か否かを判定する。アサート状態であれば（Ｓ６０２にてＹＥＳ）Ｓ６０６へ進み、ネゲート状態であれば（Ｓ６０２にてＮＯ）Ｓ６０３へ進む。
【００３４】
Ｓ６０３にて、制御部３０２は、通知信号がアサート中の時間の計時中であることを示す第２の計時中フラグがセット（＝１）されているかを確認する。なお、ここでの第２の計時中フラグは、図５にて示した、電源制御部２０６（スイッチング電源２０１）が用いる第１の計時中フラグとは異なるものである。第２の計時中フラグがセットされていた場合は（Ｓ６０３にてＹＥＳ）Ｓ６０４に進み、セットされていない場合は（Ｓ６０３にてＮＯ）Ｓ６０５へ進む。
【００３５】
Ｓ６０４にて、制御部３０２は、計測中の経過時間ｔのリセット、及び、第２の計時中フラグのリセット（＝０）を行う。そして、Ｓ６０５に進む。
【００３６】
Ｓ６０５にて、制御部３０２は、記録が終了したか否かを判定する。記録が終了していない場合は（Ｓ６０５にてＮＯ）Ｓ６０２に戻って、動作を継続する。一方、記録が終了している場合は（Ｓ６０５にてＹＥＳ）本処理フローを終了する。
【００３７】
Ｓ６０６にて、制御部３０２は、第２の計時中フラグがセットされているかを確認する。第２の計時中フラグがセットされていない場合は（Ｓ６０６にてＮＯ）Ｓ６０７へ進み、セットされている場合は（Ｓ６０６にてＹＥＳ）Ｓ６０８へ進む。
【００３８】
Ｓ６０７にて、制御部３０２は、第２の計時中フラグをセット（＝１）するとともに、通知信号がアサートされている経過時間ｔの計測を開始する。このとき、記録動作は継続される。そして、Ｓ６０５へ進む。
【００３９】
Ｓ６０８にて、制御部３０２は、第２の計時中フラグがセットされている状態の経過時間ｔを確認し、経過時間ｔが第２の所定時間ｔ２を超えているか否かを判定する。ここでの第２の所定時間は、図５にて示した、電源制御部２０６（スイッチング電源２０１）が用いる第１の所定時間ｔ１とは異なるものである。経過時間ｔが第２の所定時間ｔ２を超えていない場合は（Ｓ６０８にてＮＯ）Ｓ６０５に進む。このとき、記録動作は継続される。経過時間ｔがｔ２を超えている場合は（Ｓ６０８にてＹＥＳ）Ｓ６０９へ進む。
【００４０】
Ｓ６０９にて、制御部３０２は、記録ヘッド（不図示）の現在実行中の走査（例えば、１ライン分）が終了するまで待機する。ここでは、シリアルタイプの記録装置を用いているため、動作の切れ目として、１ライン分の走査が完了するまで待機するものとしているが、このタイミングに限定するものではなく、任意のタイミングまで待機するようにしてもよい。走査終了後（Ｓ６０９にてＹＥＳ）Ｓ６１０へ進む。
【００４１】
Ｓ６１０にて、制御部３０２は、所定時間待機する。ここでの所定時間は予め設定され、ＲＯＭ３０３等に保持されているものとする。所定時間経過後、Ｓ６１１へ進む。
【００４２】
Ｓ６１１にて、制御部３０２は、通知信号の状態を確認し、所定時間待機後も通知信号がアサートされているか否かを判定する。通知信号がアサートされている場合は（Ｓ６１１にてＹＥＳ）Ｓ６１３へ進み、通知信号がネゲートされている場合は（Ｓ６１１にてＮＯ）Ｓ６１２へ進む。
【００４３】
Ｓ６１２にて、制御部３０２は、計測中の経過時間ｔのリセット、及び、第２の計時中フラグをリセットする。そして、Ｓ６０５に進む。このとき、記録動作は継続される。
【００４４】
Ｓ６１３にて、制御部３０２は、異常状態と判定して記録動作を中止し、記録ヘッド（不図示）を所定の待機ポジションに移動させる。また、制御部３０２は、記録途中の記録紙を排紙する等機構上安全な状態移行させるエラー処理を実行する。そして、本処理フローを終了する。
【００４５】
本実施形態において、第２の所定時間ｔ２を第１の所定時間ｔ１よりも異常処理を実行可能な時間分短く設定しておけば（ｔ２＞ｔ１）、予期しない状態で電源がシャットダウンしてしまうことを避けることができる。また、異常処理を実行する時間を確保出来るので、突然の電源シャットダウンによる、特に機構系の故障を回避することが出来る。
【００４６】
＜第２の実施形態＞
第１の実施形態では、シリアルタイプの記録ヘッドを備えた記録装置について説明した。しかし、記録ヘッドが記録紙の幅分の幅を有し、記録ヘッド自体は動くことなく記録紙を搬送するだけで記録動作を行うフルラインタイプの記録ヘッドを搭載した記録装置でも適用可能である。なお、第１の実施形態と同様の構成については、説明を省略する。
【００４７】
図７は、本実施形態に係る、ラインヘッドを搭載した記録装置での記録動作中の制御に関するフローチャートを示す。
【００４８】
Ｓ７０１にて、制御部３０２は、記録動作を開始させる。
【００４９】
Ｓ７０２にて、制御部３０２は、通知信号２０３を確認し、通知信号がアサート状態か否かを判定する。アサート状態であれば（Ｓ７０２にてＹＥＳ）Ｓ７０６へ進み、ネゲート状態であれば（Ｓ７０２にてＮＯ）Ｓ７０３へ進む。
【００５０】
Ｓ７０３にて、制御部３０２は、通知信号がアサート中の時間の計時中であることを示す第２の計時中フラグがセット（＝１）されているかを確認する。第２の計時中フラグがセットされていた場合は（Ｓ７０３にてＹＥＳ）Ｓ７０４に進み、セットされていない場合は（Ｓ７０３にてＮＯ）Ｓ７０５へ進む。
【００５１】
Ｓ７０４にて、制御部３０２は、計測中の経過時間ｔのリセット、及び、第２の計時中フラグのリセット（＝０）を行う。そして、Ｓ７０５に進む。
【００５２】
Ｓ７０５にて、制御部３０２は、記録が終了したか否かを判定する。記録が終了していない場合は（Ｓ７０５にてＮＯ）Ｓ７０２に戻って、動作を継続する。一方、記録が終了している場合は（Ｓ７０５にてＹＥＳ）本処理フローを終了する。
【００５３】
Ｓ７０６にて、制御部３０２は、第２の計時中フラグがセットされているかを確認する。第２の計時中フラグがセットされていない場合は（Ｓ７０６にてＮＯ）Ｓ７０７に進み、セットされている場合は（Ｓ７０６にてＹＥＳ）Ｓ７０８へ進む。
【００５４】
Ｓ７０７にて、制御部３０２は、第２の計時中フラグをセット（＝１）するとともに、通知信号がアサートされている経過時間ｔの計測を開始する。このとき、記録動作は継続される。そして、Ｓ７０５へ進む。
【００５５】
Ｓ７０８にて、制御部３０２は、第２の計時中フラグがセットされている状態の経過時間ｔを確認し、経過時間ｔが第２の所定時間ｔ２を超えているか否かを判定する。経過時間ｔが第２の所定時間ｔ２を超えていない場合は（Ｓ７０８にてＮＯ）Ｓ７０５に進む。このとき、記録動作は継続される。経過時間ｔがｔ２を超えている場合は（Ｓ７０８にてＹＥＳ）、Ｓ７０９に進む。
【００５６】
Ｓ７０９にて、制御部３０２は、現在記録動作実行中のページの記録が終了するまで待機する。第１の実施形態では、１ライン分の記録の間、待機していたが、本実施形態では、フルラインタイプの記録ヘッドを用いているため、１ページを単位として待機するタイミングを制御している。当該ページの記録終了後（Ｓ７０９にてＹＥＳ）Ｓ７１０へ進む。
【００５７】
Ｓ７１０にて、制御部３０２は、次のページの記録に進まずに、所定時間待機する。ここでの所定時間は予め定義され、ＲＯＭ３０３等に保持されているものとする。所定時間経過後、Ｓ７１１へ進む。
【００５８】
Ｓ７１１にて、制御部３０２は、通知信号の状態を確認し、所定時間待機後も通知信号がアサートされているか否かを判定する。通信信号がアサートされている場合は（Ｓ７１１にてＹＥＳ）Ｓ７１３へ進み、通信信号がネゲートされている場合は（Ｓ７１１にてＮＯ）Ｓ７１２へ進む。
【００５９】
Ｓ７１２にて、制御部３０２は、計測中の経過時間ｔのリセット、及び、第２の計時中フラグをリセットする。そして、Ｓ７０５に進む。このとき、記録動作は継続される。
【００６０】
Ｓ７１３にて、制御部３０２は、異常状態と判定して記録動作を中止し、記録のための搬送途中の記録紙を排紙する等機構上安全な状態移行させるエラー処理を実行する。そして、本処理フローを終了する。
【００６１】
本実施形態では、第２の所定時間ｔ２を第１の所定時間ｔ１よりも異常処理を実行可能な時間分短く設定しておくことで、ラインヘッドタイプのインクジェット記録装置においても、第１の実施形態と同様な効果を得ることができる。
【００６２】
＜第３の実施形態＞
上記の実施形態で用いたスイッチング電源では、過電流検出用の抵抗２２０に流れる電流によって生ずる電位を確認することで過電流を検出している。この検出用の抵抗２２０にはトランス２０７を流れる電流が流れることになるため、この抵抗２２０に必要な耐電力はトランス２０７の１次側電流Ｉｐ×Ｉｐ／Ｒ（Ｒは抵抗値）が必要となり、Ｒの値を大きくした方が有利である。しかし、Ｒを大きくしてしまうとＩｐを制限することになり十分な電力が得られなくなるため、単純に大きくすることが出来ない。また、Ｒの値を小さくすると耐電力を大きくする必要があり、部品が大きくなってしまう。そのため、部品単体のコストだけでなく電源ユニット全体が大きくなり、その結果、装置全体のコストの上昇や、小型化が困難になるといった不都合が生じる。
【００６３】
そこで、本実施形態では、出力電流の検出用回路として、電源制御部２０６に入力電圧検出部（不図示）を設ける。そして、入力電圧とスイッチング周期によって、過電流状態か否かを判定する。
【００６４】
入力電圧をＶｉｎ、トランス１次側のインダクタンスをＬｐ、スイッチング用ＭＯＳ−ＦＥＴのオン時間をｔｏｎとすると、トランス１次側を流れる電流Ｉｐは次の式（１）ようになる。
Ｉｐ＝（Ｖｉｎ／Ｌｐ）・ｔｏｎ・・・（１）
ｔｏｎはスイッチング周期Ｔの１／２となるので、入力電圧Ｖｉｎとスイッチング周期Ｔから、Ｉｐを特定することができる。そのため、この構成により、過電流検出用の抵抗２２０と同様に過電流状態を検出することができ、過電流検出用の抵抗２２０が不要になる。つまり、本実施形態では、電源制御部２０６において入力電圧検出部（不図示）を備える代わりに、図２に示す抵抗２２０が無い構成とする。
【００６５】
図８は、スイッチング周期Ｔと通知信号２０３の関係を示す。ここでの所定の周期Ｔｓは、入力電圧Ｖｉｎで決まる。スイッチング周期Ｔが、所定の周期Ｔｓより長い場合は、通知信号２０３をアサートし、所定の周期Ｔｓよりも短い場合はネゲートする。さらに、スイッチング周期Ｔが、速やかにシャットダウンすべき周期Ｔｍ（＞Ｔｓ）に至った場合は、直ちにスイッチング動作を終了して電源出力をシャットダウンする。なお、周期Ｔｓ、Ｔｍの値は予め設定され、保持されているものとする。
【００６６】
第１の実施形態にて述べた図５のフローチャートの説明と同様に、スイッチング周期ＴがＴ＞Ｔｓの状態になると通知信号２０３をアサートし、その時間が所定時間継続すると出力を停止する。さらに、Ｔ＞Ｔｍの状態になった場合には、直ちにスイッチング動作を終了し、電源出力をシャットダウンする。このように、本実施形態では、入力電圧とスイッチング周期によって過電流状態か否かを判定することによって、過電流検出用の抵抗２２０を無くすことができ、電源ユニットをより小さく構成することが可能となる。
【００６７】
なお、ＰＷＭ方式などの他の方式であっても同様な効果かが得られる。ＰＷＭ方式であれば、負荷電流に応じてスイッチングＦＥＴのＯＮ時間が変化するので、入力電圧とスイッチングＦＥＴのＯＮ時間の関係で、過電流状態を検知することが可能となる。
【００６８】
＜第４の実施形態＞
上記の実施形態では、出力電流やスイッチング周期の継続時間だけの異常検出であったが、より安全性を向上するためには、記録画像と対比してもよい。つまり、記録する画像情報に対して、記録動作時の動作電流が大きいか否かを判定する。そして、記録動作時の度差電流が大きいと判断した場合には、装置の異常であると判定し、異常処理を実行して安全な状態に移行させる。
【００６９】
具体的には、記録画像を所定の領域毎に分割し、領域毎の記録デューティ（何ドットインクを吐出するか）から、その領域の記録に必要な電力を求める。そして、その求めた電力と、通知信号２０３が発生する電力とを比較し、通知信号が発生するはずの無い領域で通知信号２０３が発生した場合は異常状態と判定する。
【００７０】
図９（ａ）は、シリアルタイプの記録ヘッドの場合での領域分割の例を示す。図９（ａ）において、記録ヘッド９０１は、矢印の走査方向（主走査方向）に移動可能とし、ここでは、１回の走査で記録する画像の領域を領域（１）〜領域（７）の７つの領域に分割している。図９（ａ）では、主走査方向において、７つに等分しているが、この長さは記録媒体のサイズに応じて変更してもよいし、画像形成装置が記録可能な最大幅に応じて分割してもよい。
【００７１】
図９（ｂ）は、ラインヘッドとしての記録ヘッドの場合での領域分割の例を示す。図９（ｂ）において、記録ヘッド９０２は固定され、矢印は、記録紙の搬送方向（副走査方向）を示す。ここでは、記録紙の搬送方向に領域（１）、領域（２）・・・と、複数の領域に区切っている。ここでの副走査方向の分割の幅は予め定義されていてもよいし、画像形成装置が対応する記録紙のサイズに応じて変更してもよい。
【００７２】
制御部３０２は、記録動作中に通知信号２０３を受信すると、現在記録中の領域のデューティを確認する。そして、現在記録中の領域が、通知信号２０３が発生するはずの無い領域であった場合は、制御部３０２は、異常状態と判定してエラー処理を実行する。
【００７３】
［処理フロー］
シリアルタイプの記録ヘッドの場合の動作を例に挙げて、図１１のフローチャートに沿って説明する。
【００７４】
記録動作が始まると、Ｓ１１０１にて、制御部３０２は、その走査で記録する記録データについて、分割した領域毎の記録デューティを算出する。
【００７５】
Ｓ１１０２にて、制御部３０２は、記録ための走査を開始させる。
【００７６】
Ｓ１１０３にて、制御部３０２は、記録動作中の領域に対する通知信号２０３を監視する。そして、制御部３０２は、監視中に通知信号２０３の発生があったか否かを判定する。通知信号２０３の発生があった場合は（Ｓ１１０３にてＹＥＳ）Ｓ１１０６へ進み、通知信号２０３の発生が無ければ（Ｓ１１０３にてＮＯ）Ｓ１１０４へ進む。
【００７７】
Ｓ１１０４にて、制御部３０２は、全ての領域に対する記録動作が終了したか否かを判定する。記録動作が終了した場合は（Ｓ１１０４にてＹＥＳ）Ｓ１１０５へ進み、記録動作が終了していない領域がある場合は（Ｓ１１０４にてＮＯ）Ｓ１１０２へ戻り、記録動作が終了していない領域の記録を継続する。
【００７８】
Ｓ１１０５にて、制御部３０２は、１ページ分の記録動作が終了したか否かを判定する。記録動作が終了していない場合は（Ｓ１１０５にてＮＯ）Ｓ１１０１へ戻り、記録動作が完了していない部分に対して処理を繰り返す。記録動作が終了している場合は（Ｓ１１０５にてＹＥＳ）本処理フローを終了する。
【００７９】
Ｓ１１０６にて、制御部３０２は、記録中の領域の記録デューティが所定の閾値以下か否か確認する。この所定の閾値は、通知信号２０３が発生する記録デューティよりも低い値に設定する。記録デューティが所定の閾値より大きい場合は（Ｓ１１０６にてＮＯ）、通知信号２０３の発生は起こり得るため、制御部３０２は正常と判断し、Ｓ１１０４に進んで記録動作を続行する。記録デューティが所定の閾値以下であった場合は（Ｓ１１０６にてＹＥＳ）、想定外の電流が流れていることになり、記録ヘッド（不図示）を含む装置内の何れかの電気回路に不具合がある可能性を示唆している。この場合は、Ｓ１１０７へ進む。
【００８０】
Ｓ１１０７にて、制御部３０２は、記録動作を中止し、記録実行中の記録紙の排紙、記録ヘッドの待機ポジションへの移動等の適切なエラー処理を実行する。そして、本処理フローを終了する。
【００８１】
以上、本実施形態では、通知信号の発生と記録画像と対比することによって、記録動作中に必要以上の電流を消費していると判断した場合は、所定時間ｔ２の経過を待つことなく速やかに異常処理に移行することが出来る。そのため、より安全性が向上する。
【００８２】
なお、上記の例では記録動作中の異常に着目しているが、その他の動作中であっても、多くの電流を消費するはずの無い動作中に通知信号が発生した場合には、直ちに異常処理に移行するように制御することで、安全性の向上が実現できる。
【符号の説明】
【００８３】
１０１…記録装置、２０１…スイッチング電源、２０２…電源出力、２０３…通知信号、３０１…画像形成部、３０２…制御部、３１０…記録部
【図１】
2018111236.tif 000003
【図２】
2018111236.tif 000004
【図３】
2018111236.tif 000005
【図４】
2018111236.tif 000006
【図５】
2018111236.tif 000007
【図６】
2018111236.tif 000008
【図７】
2018111236.tif 000009
【図８】
2018111236.tif 000010
【図９】
2018111236.tif 000011
【図１０】
2018111236.tif 000012
【図１１】
2018111236.tif 000013